(57)【要約】【課題】様々な履物や衣服等のファッションに合わせて女性の脚部を飾ることができる脚部用アクセサリーを提供することを目的とする。【解決手段】脚部用アクセサリー１は装飾部２と筒状部３から成る。装飾部２は屈曲自在な柔かい素材から成り、人体の脚部Ｆを通せるように筒状となっている。筒状部３は伸縮自在で柔かい素材から成っている。装飾部２は、筒状部３の上部内側に筒状部３との境界部Ａから外側へ折り曲げ自在に取り付けられている。装飾部２を筒状部３との境界部Ａから外側に折り曲げると、装飾的な外面２ａが外界に露出する。例えばブーツ４を履いた場合、ブーツ４の上端部は装飾部２で装飾されているかのような印象を看者に与える。このアクセサリーは、太ももから足首までの脚部の任意の部位に装着することができ、サンダル、パンプス、スニーカー等を履いた場合でも着用できる。【選択図】図１
2012019942.tif 000002
【特許請求の範囲】
【請求項１】
人体の脚部に着脱自在に装着される伸縮自在な素材から成る筒状部と、この筒状部の上部に外側へ折り曲げ自在に取り付けられた屈曲自在な素材から成る筒状の装飾部とから成り、前記装飾部を外側へ折り曲げた状態でその外面が装飾面となることを特徴とする脚部用アクセサリー。
【請求項２】
前記筒状部は下方へ向って先細状であることを特徴とする請求項１記載の脚部用アクセサリー。
【請求項３】
前記筒状部の側部にかかとを露出させるための開口部を形成したことを特徴とする請求項１又は２記載の脚部用アクセサリー。
【発明の詳細な説明】
【技術分野】
【０００１】
本発明は、人体の脚部に装着する脚部用アクセサリーに関するものである。
【背景技術】
【０００２】
女性用の履物にはパンプス、スニーカー、ブーツ、サンダル等の様々なものがある。また女性用のスカート等の衣服の丈は長短様々であり、ミニスカートのような丈の短いものからロングドレスのように丈の長いものまである。
【発明の概要】
【発明が解決しようとする課題】
【０００３】
上記のように女性用の履物や衣服には様々なものがあり、様々なおしゃれを楽しめるようになっている。しかしながらこれまで、女性のひざから下の脚元を飾るおしゃれ用品は乏しく、格別の脚部用アクセサリーは知られていない実情にあった。
【０００４】
そこで本発明は、様々な履物や衣服等のファッションに合わせて女性の脚部を各人が好みの態様で飾ることができる汎用性の高い脚部用アクセサリーを提供することを目的とする。
【課題を解決するための手段】
【０００５】
請求項１記載の発明は、人体の脚部に着脱自在に装着される伸縮自在な素材から成る筒状部と、この筒状部の上部に外側へ折り曲げ自在に取り付けられた屈曲自在な素材から成る筒状の装飾部とから成り、前記装飾部を外側へ折り曲げた状態でその外面が装飾面となるものである。
【０００６】
請求項２記載の発明は、請求項１記載の発明において、前記筒状部は下方へ向って先細状となっている。
【０００７】
請求項３記載の発明は、請求項１又は２記載の発明において、前記筒状部の側部にかかとを露出させるための開口部を形成した。
【発明の効果】
【０００８】
本発明の脚部用アクセサリーは、太ももから足首までの脚部の任意の部位に装着できる。また装着状態において、筒状部をブーツの内側や装飾部の内側に隠すことができるので、様々な履物や衣服に合わせて、各人が好みの様々な態様で使用でき、汎用性の高い審美性にすぐれた脚部用アクセサリーを実現できる。
【図面の簡単な説明】
【０００９】
【図１】本発明の実施の形態１の脚部用アクセサリーの斜視図
【図２】（ａ）本発明の実施の形態１の脚部用アクセサリーの装飾部を筒状部から引き出した状態における断面図（ｂ）本発明の実施の形態１の脚部用アクセサリーの装飾部を筒状部の外側に折り曲げた状態における断面図
【図３】本発明の実施の形態１の脚部用アクセサリーをブーツで使用中の側面図
【図４】本発明の実施の形態１の脚部用アクセサリーをブーツで使用中の部分断面図
【図５】本発明の実施の形態１における脚部用アクセサリー１をスニーカーで使用中の側面図
【図６】本発明の実施の形態１における脚部用アクセサリー１をパンプスで使用中の側面図
【図７】本発明の実施の形態２における脚部用アクセサリーの側面図
【図８】本発明の実施の形態２における脚部用アクセサリーをブーツで使用中の側面図
【図９】本発明の実施の形態２における脚部用アクセサリーを裸足の足首に装着した状態の側面図
【図１０】本発明の実施の形態２における脚部用アクセサリーをパンプスで使用中の側面図
【図１１】本発明の実施の形態２における脚部用アクセサリーを裸足の足首に装着した状態の側面図
【発明を実施するための形態】
【００１０】
（実施の形態１）
本発明の実施の形態１を図１〜図５を参照して説明する。図１において、脚部用アクセサリー１は装飾部２と筒状部３から成っている。装飾部２は屈曲自在な柔かい素材から成り、人体の脚部を通せるように筒状となっている。この装飾部２は看者に対して美感を与えるための装飾物であって、本実施の形態１ではふっくらしたファー（毛皮）から成っている。この装飾部２はファーに限らず、他の装飾的デザインを施したもの等の審美性の高いものであればよい。筒状部３は、これに脚部を通して太ももから足首の間の脚部の任意の部位に着脱自在に装着できるように、伸縮自在で柔かい素材から成っている。
【００１１】
図２（ａ）は、装飾部２を筒状部３の上方へ引き出した状態を示している。装飾部２は、筒状部３の上部内側に筒状部３との境界部Ａから外側へ折り曲げ自在（矢印Ｎを参照）に縫合手段などにより取り付けられている。図２（ｂ）は、装飾部２を境界部Ａから外側に折り曲げた状態（図２（ａ）の鎖線で示す状態）を示している。この状態で、装飾部２の装飾面（外面）２ａは外界に露出する。
【００１２】
図２（ｂ）において、筒状部３は下方へ向って先細状であり、且つ折り曲げられた装飾部２の下端部よりもやや下方へ延出している。また図２（ｂ）に示すように、装飾部２を外側に折り曲げた状態で、後述するように装飾部２と筒状部３の間にブーツの上端部を位置させることができる。このアクセサリー１は上記のような構成より成り、以下に述べるように様々な態様で使用・着用することができる。
【００１３】
図３、図４はブーツ４を履いた脚部Ｆで使用中のアクセサリー１を示している。アクセサリー１に脚部を通して脚部に装着する装着方法は自由であるが、例えば図２（ａ）の実線で示すように装飾部２を筒状部３の上方へ引き伸ばす。そこで上方からこのアクセサリー１に脚部Ｆを通して装飾部２を脚部Ｆのひざ付近に位置させる（このとき、装飾部２は図２（ａ）に示すように筒状部３の上方にあって、装飾面２ａは内側になっている）。次いでブーツ４を履き、図２（ａ）を参照して説明したように装飾部２を筒状部３との境界部Ａから外側へ折り曲げる。すると図４に示すようにブーツ４の上端部は装飾部２と筒状部３の間に位置し、ブーツ４の上端部外面は装飾部２の外面（装飾面）２ａで装飾されることになる。勿論、筒状部３は装飾部２やブーツ４の内方に隠れており、外方からは見えない。したがって看者は、あたかもブーツ４の上端部が装飾部２により装飾されているとの印象を受ける。
【００１４】
このアクセサリー１を脚部に装着する方法は自由であって、図２（ｂ）に示すように装飾部２を外側へ折り曲げた状態で脚部Ｆを通してひざ下付近にアクセサリー１を位置させた後で、ブーツ４を履いてその上端部を装飾部２と筒状部３の間に差し込むようにして位置させてもよい。
【００１５】
筒状部３は伸縮性を有する柔かい素材から成るので、太ももから足首までの任意の部位に着脱自在に装着して使用することができる。例えば、図５に示すようにスニーカー５を履いた脚部Ｆの足首に装着してもよく、あるいは図６に示すようにパンプス６やサンダルを履いた脚部Ｆの足首に装着してもよい。あるいは長尺のブーツを履いたときは、太ももに装着してもよい。いずれの場合も、筒状部３を外方から見えないように装飾部２の内方に隠して着用することができる。
【００１６】
（実施の形態２）
図７は、本発明の実施の形態２の脚部用アクセサリー１０の側面図である。このアクセサリー１０は、実施の形態１の筒状部３の下部に、筒状部３と同様の伸縮自在な柔かい素材から成る第２の筒状部１１を縫合するなどして設けたものであり、両者３、１１で筒状部を構成している。勿論、筒状部３と第２の筒状部１１は一枚の布等により一体ものとして作ってもよい。実施の形態１と同一要素には同一符号を付し、説明は省略する。
【００１７】
第２の筒状部１１の側部には開口部１２が形成されている。図８はこのアクセサリー１０をブーツ４を履いた脚部Ｆで使用している状態を示している。この場合、脚先からアクセサリー１０に通し、実施の形態１の場合と同様にブーツ４を履いて装飾部２をブーツ４の上端部の外側に露出させる。
【００１８】
また図９に示すように、裸足の足先をアクセサリー１０に通し、かかとを開口部１２から露出させ、図１０に示すようにパンプスを履いてもよい。筒状部３や第２の筒状部１１はアクセサリー１０の着用時には外方から見えないのが望ましいが、図９に示すように外方から見えてもよい。
【００１９】
あるいは、図１１に示すように、筒状部３や第２の筒状部１１を装飾部２の内方に隠し、足首に装着してもよい。この状態で、裸足であってもよく、あるいはサンダルやスニーカー等を履いてもよい。
【産業上の利用可能性】
【００２０】
本発明の脚部用アクセサリーは、太ももから足首までの脚部の任意の部位に装着できる。また装着状態において、筒状部をブーツの内側や装飾部の内側に隠すことができるので、様々な履物や衣服に合わせて、各人が好みの様々な態様で使用でき、汎用性の高い審美性にすぐれた脚部用アクセサリーを実現でき、ファッション界において特に有用である。
【符号の説明】
【００２１】
１、１０  脚部用アクセサリー
２  装飾部
２ａ  外面（装飾面）
３、１１  筒状部
１２  開口部
Ａ  境界部
Ｆ  脚部
【図１】
2012019942.tif 000003
【図２】
2012019942.tif 000004
【図３】
2012019942.tif 000005
【図４】
2012019942.tif 000006
【図５】
2012019942.tif 000007
【図６】
2012019942.tif 000008
【図７】
2012019942.tif 000009
【図８】
2012019942.tif 000010
【図９】
2012019942.tif 000011
【図１０】
2012019942.tif 000012
【図１１】
2012019942.tif 000013